(57)【要約】無線通信システムにおけるチャネル状態情報参照信号（ＣＳＩ−ＲＳ）の周波数リソース割り当て方法は、基地局（ＢＳ）からユーザ装置（ＵＥ）へ、ＣＳＩ−ＲＳリソースを用いてＣＳＩ−ＲＳを送信するステップと、前記ＵＥにおいて、前記ＣＳＩ−ＲＳに基づいてＣＳＩを計算するステップと、前記ＵＥから前記ＢＳへ、前記ＣＳＩを報告するステップと、を含む。周波数領域内の前記ＣＳＩ−ＲＳリソースは、キャリア帯域幅の一部である１以上の周波数リソースに割り当てられる。前記方法は、前記ＢＳにおいて、前記ＵＥに前記周波数領域内の前記１以上の周波数リソースの位置を通知するステップを、さらに含む。
2020523889.tif 000002
【特許請求の範囲】
【請求項１】
無線通信システムにおけるチャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ（ＣＳＩ−ＲＳ））の周波数リソース割り当て方法であって、
基地局（ｂａｓｅ  ｓｔａｔｉｏｎ（ＢＳ））からユーザ装置（ｕｓｅｒ  ｅｑｕｉｐｍｅｎｔ（ＵＥ））へ、ＣＳＩ−ＲＳリソースを用いてＣＳＩ−ＲＳを送信するステップと、
前記ＵＥにおいて、前記ＣＳＩ−ＲＳに基づいてＣＳＩを計算するステップと、
前記ＵＥから前記ＢＳへ、前記ＣＳＩを報告するステップと、を具備し、
周波数領域内の前記ＣＳＩ−ＲＳリソースは、キャリア帯域幅の一部である１以上の周波数リソースに割り当てられることを特徴とする方法。
【請求項２】
前記周波数リソースは少なくとも２つであり、前記周波数リソースは前記周波数領域内で連続であることを特徴とする請求項１に記載の方法。
【請求項３】
前記ＢＳにおいて、前記ＵＥに前記周波数領域内の前記１以上の周波数リソースの位置を通知するステップをさらに具備することを特徴とする請求項１に記載の方法。
【請求項４】
前記計算するステップは、前記位置によって特定した前記ＣＳＩ−ＲＳに基づいて前記ＣＳＩを計算することを特徴とする請求項３に記載の方法。
【請求項５】
前記１以上の周波数リソースは、１以上のリソースブロック（ｒｅｓｏｕｒｃｅ  ｂｌｏｃｋｓ（ＲＢｓ））であることを特徴とする請求項１に記載の方法。
【請求項６】
無線通信システムにおける干渉測定のための周波数リソース割り当て方法であって、
基地局（ｂａｓｅ  ｓｔａｔｉｏｎ（ＢＳ））において、ユーザ装置（ｕｓｅｒ  ｅｑｕｉｐｍｅｎｔ（ＵＥ））に、干渉測定に用いられる１以上の周波数リソースを通知するステップと、
前記１以上の周波数リソースはキャリア帯域幅の一部であることを特徴とする方法。
【請求項７】
前記周波数リソースは少なくとも２つであり、前記周波数リソースは周波数領域内で連続であることを特徴とする請求項６に記載の方法。
【請求項８】
前記１以上の周波数リソースは、１以上のリソースブロック（ｒｅｓｏｕｒｃｅ  ｂｌｏｃｋｓ（ＲＢｓ））であることを特徴とする請求項６に記載の方法。
【請求項９】
無線通信システムにおけるゼロパワー（Ｚｅｒｏ  Ｐｏｗｅｒ（ＺＰ））チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ（ＣＳＩ−ＲＳ））送信のための周波数リソース割り当て方法であって、
基地局（ｂａｓｅ  ｓｔａｔｉｏｎ（ＢＳ））からユーザ装置（ｕｓｅｒ  ｅｑｕｉｐｍｅｎｔ（ＵＥ））へ、ＺＰ  ＣＳＩ−ＲＳリソースを用いてＺＰ  ＣＳＩ−ＲＳを送信するステップと、
ＵＥにおいて、前記ＺＰ  ＣＳＩ−ＲＳに基づいて干渉測定を実行するステップと、を具備し、
周波数領域内の前記ＺＰ  ＣＳＩ−ＲＳリソースは、キャリア帯域幅の一部である１以上の周波数リソースに割り当てられることを特徴とする方法。
【請求項１０】
前記周波数リソースは少なくとも２つであり、前記周波数リソースは前記周波数領域内で連続であることを特徴とする請求項９に記載の方法。
【請求項１１】
前記ＢＳにおいて、前記ＵＥに前記周波数領域内の前記１以上の周波数リソースの位置を通知するステップをさらに具備することを特徴とする請求項９に記載の方法。
【請求項１２】
前記１以上の周波数リソースは、１以上のリソースブロック（ｒｅｓｏｕｒｃｅ  ｂｌｏｃｋｓ（ＲＢｓ））であることを特徴とする請求項９に記載の方法。
【発明の詳細な説明】
【技術分野】
【０００１】
本発明は、一般に、無線通信システムにおけるチャネル状態情報（Ｃｈａｎｎｅｌ  Ｓｔａｔｅ  Ｉｎｆｏｒｍａｔｉｏｎ（ＣＳＩ））参照信号（Ｒｅｆｅｒｅｎｃｅ  Ｓｉｇｎａｌ（ＲＳ））、ＣＳＩ干渉測定、ゼロパワーＣＳＩ−ＲＳ、およびその他のＲＳの周波数リソースの割り当て方法に関する。
【背景技術】
【０００２】
Ｌｏｎｇ  Ｔｅｒｍ  Ｅｖｏｌｕｔｉｏｎ（ＬＴＥ）Ｒｅｌ．１４およびＮｅｗ  Ｒａｄｉｏ（ＮＲ）の下でのＣＳＩ取得スキームにおいて、ビームフォーミングがＣＳＩ−ＲＳに適用され得る。ビームフォーミングされたＣＳＩ−ＲＳは、ビームフォーミングゲインを取得することで、下りリンク信号のオーバヘッドを削減し、ＣＳＩ−ＲＳのカバレッジを拡大できる。さらに、ビームフォーミングされたＣＳＩ−ＲＳを用いて、効果的なチャネル推定が実行され得る。
【０００３】
しかし、ＬＴＥ  Ｒｅｌ．１４、ＮＲ、および既存のＬＴＥ規格では、周波数スケジューリングを用いるＣＳＩ−ＲＳ送信スキームは、まだ決定されていない。
【先行技術文献】
【非特許文献】
【０００４】
【非特許文献１】３ＧＰＰ  ＴＳ  ３６．２１１  Ｖ１４．２．０
【非特許文献２】３ＧＰＰ  ＴＳ  ３６．２１３  Ｖ１４．２．０
【発明の概要】
【発明が解決しようとする課題】
【０００５】
本発明の１つ以上の実施形態は、ユーザ装置（ｕｓｅｒ  ｅｑｕｉｐｍｅｎｔ（ＵＥ））において、第１の基地局（ｂａｓｅ  ｓｔａｔｉｏｎ（ＢＳ））から部分周波数リソースに割り当てられたチャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ（ＣＳＩ−ＲＳ））を受信するステップと、ＣＳＩ−ＲＳに基づいてチャネル推定を実行するステップと、を含む、無線通信方法に関する。
【０００６】
本発明の１つ以上の実施形態は、ＢＳからＵＥへ、ＣＳＩ−ＲＳリソースを用いてＣＳＩ−ＲＳを送信するステップと、ＵＥにおいて、ＣＳＩ−ＲＳに基づいてＣＳＩを計算するステップと、ＵＥからＢＳへ、ＣＳＩを報告するステップと、を含む、無線通信システムにおけるＣＳＩ−ＲＳの周波数リソース割り当て方法に関する。周波数領域内のＣＳＩ−ＲＳリソースは、キャリア帯域幅の一部である１以上の周波数リソースに割り当てられる。
【０００７】
本発明の１つ以上の実施形態は、ＢＳにおいて、ＵＥに干渉測定に用いられる１以上の周波数リソースを通知するステップと、ＵＥにおいて、干渉測定を実行するステップと、を含む、無線通信システムにおける干渉測定のための周波数リソース割り当て方法に関する。１以上の周波数リソースは、キャリア帯域幅の一部である。
【０００８】
本発明の１つ以上の実施形態は、ＢＳからＵＥへ、ゼロパワー（ＺＰ）  ＣＳＩ−ＲＳリソースを用いてＺＰ  ＣＳＩ−ＲＳを送信するステップと、ＵＥにおいて、ＺＰ  ＣＳＩ−ＲＳに基づいて干渉測定を実行するステップと、を含む、無線通信システムにおけるＺＰ  ＣＳＩ−ＲＳ送信のための周波数リソース割り当て方法に関する。周波数領域内のＺＰ  ＣＳＩ−ＲＳリソースは、キャリア帯域幅の一部である１以上の周波数リソースに割り当てられる。
【０００９】
本発明の１つ以上の実施形態は、ＣＳＩ−ＲＳ送信をするための周波数スケジューリングに適用する方法が提供できる。また、本発明の１つ以上の実施形態によれば、プリコーディングを用いてチャネル推定および干渉推定が実行され得る。また、本発明の１つ以上の実施形態によれば、ユーザ間の干渉を推定することが可能である。
【００１０】
本発明の他の実施形態および利点は、説明および図面から認識されるであろう。
【図面の簡単な説明】
【００１１】
【図１】本発明の１つ以上の実施形態による、無線通信システムの構成を示す図である。
【図２Ａ】既存のＬＴＥ規格による、従来のＣＳＩ取得スキームにおけるリソース割り当て方法を示す図である。
【図２Ｂ】既存のＬＴＥ規格による、従来のＣＳＩ取得スキームの動作例を示すシーケンス図である。
【図３Ａ】本発明の第１の実施例の１つ以上の実施形態による、下りリンクＣＳＩ取得スキームにおけるリソース割り当て例を示す図である。
【図３Ｂ】本発明の第１の実施例の１つ以上の実施形態による、下りリンクＣＳＩ取得スキームにおけるリソース割り当て例を示す図である。
【図４】本発明の第１の実施例の１つ以上の実施形態による、下りリンクＣＳＩ取得スキームの動作例を示すシーケンス図である。
【図５】本発明の第１の変形例の１つ以上の実施形態による、下りリンクＣＳＩ取得スキームにおけるリソース割り当て例を示す図である。
【図６】本発明の第１の変形例の１つ以上の実施形態による、下りリンクＣＳＩ取得スキームにおけるリソース割り当て方法を示す図である。
【図７】本発明の第１の変形例の１つ以上の実施形態による、ＣＳＩ取得スキームの動作例を示すシーケンス図である。
【図８】本発明の第２の実施例の１つ以上の実施形態による、ＣＳＩ干渉測定のリソース割り当て例を示す図である。
【図９】本発明の第２の実施例の１つ以上の実施形態による、ＣＳＩ−ＩＭに基づく干渉測定の動作例を示すシーケンス図である。
【図１０】本発明の第３の実施例の１つ以上の実施形態による、ＺＰ  ＣＳＩ−ＲＳのリソース割り当て例を示す図である。
【図１１】本発明の第３の実施例の１つ以上の実施形態による、ＺＰ  ＣＳＩ−ＲＳに基づく干渉測定の動作例を示すシーケンス図である。
【図１２】本発明の第４の実施例の１つ以上の実施形態による、上りリンクＣＳＩ取得スキームにおけるリソース割り当て方法を示す図である。
【図１３】本発明の第４の実施例の１つ以上の実施形態による、上りリンクＣＳＩ取得スキームの動作例を示すシーケンス図である。
【図１４】本発明の第４の変形例の１つ以上の実施形態による、上りリンクＣＳＩ取得スキームにおけるリソース割り当て方法を示す図である。
【図１５】本発明の第５の実施例の１つ以上の実施形態による、下りリンクＣＳＩ取得スキームにおけるリソース割り当て方法を示す図である。
【図１６】本発明の第５の実施例の１つ以上の実施形態による、下りリンクＣＳＩ取得スキームの動作例を示すシーケンス図である。
【図１７】本発明の第５の変形例の１つ以上の実施形態による、下りリンクＣＳＩ取得スキームにおけるリソース割り当て方法を示す図である。
【図１８】本発明の第６の実施例の１つ以上の実施形態による、上りリンクＣＳＩ取得スキームにおけるリソース割り当て方法を示す図である。
【図１９】本発明の第６の実施例の１つ以上の実施形態による、上りリンクＣＳＩ取得スキームの動作例を示すシーケンス図である。
【図２０】本発明の第６の変形例の１つ以上の実施形態による、上りリンクＣＳＩ取得スキームにおけるリソース割り当て方法を示す図である。
【図２１】本発明の１つ以上の実施形態による、ｇＮＢの概略構成を示す図である。
【図２２】本発明の１つ以上の実施形態による、ＵＥの概略構成を示す図である。
【発明を実施するための形態】
【００１２】
以下、本発明の実施の形態について図面を参照しながら詳細に説明する。本発明の実施形態では、本発明のより完全な理解を提供するために多数の具体的な詳細が説明される。しかし、これらの特定の詳細なしで本発明を実施できることは、当業者には明らかであろう。他の例では、本発明を曖昧にすることを避けるために、周知の特徴は詳細に説明されていない。
【００１３】
以下の説明では、本発明のより完全な説明を提供するために多くの詳細が述べられている。しかし、当業者であれば、これらの特定の詳細なしで本発明を実施できることが明らかであろう。他の例では、本発明を曖昧にすることを避けるために、周知の構造およびデバイスは、詳細ではなくブロック図形式で示されている。
【００１４】
本発明の１つ以上の実施形態では、ＣＳＩ−ＲＳおよび／またはＳＲＳを用いるＣＳＩ取得（推定）スキームの技術の例を以下で説明する。しかし、本発明の１つ以上の実施形態による技術は、復調用参照信号（ＤＭ−ＲＳ）などの他のリソースを使用する他のビーム管理およびＣＳＩ取得スキームに適用してもよい。
【００１５】
図１は、本発明の１つ以上の実施形態による、無線通信システム１である。無線通信システム１は、ユーザ装置（ＵＥ）１０と、ｇＮｏｄｅＢ（ｇＮＢ）２０と、コアネットワーク３０と、を含む。無線通信システム１はＮｅｗ  Ｒａｄｉｏ（ＮＲ）システムであってもよい。無線通信システム１は、本明細書で開示される特定の構成に限定されず、ＬＴＥ／ＬＴＥ−Ａｄｖａｎｃｅｄ（ＬＴＥ−Ａ）システムなどの任意のタイプの無線通信システムであってもよい。
【００１６】
ｇＮＢ２０は、ｇＮＢ２０のセル内でＵＥ１０と上りリンク（ＵＬ）信号および下りリンク（ＤＬ）信号を通信してもよい。ＤＬ信号およびＵＬ信号は、制御情報およびユーザデータを含み得る。ｇＮＢ２０は、バックホールリンク３１を介してコアネットワーク３０とＤＬ信号およびＵＬ信号を通信してもよい。ｇＮＢ２０は、基地局（ＢＳ）の一例であってもよい。ｇＮＢ２０は、送受信ポイント（ＴＲＰ）と呼ばれてもよい。例えば、無線通信システム１がＬＴＥシステムである場合、ＢＳは、ｅｖｏｌｖｅｄ  ＮｏｄｅＢ（ｅＮＢ）であってもよい。
【００１７】
ｇＮＢ２０は、アンテナ、隣接ｇＮＢ２０と通信する通信インターフェース（例えば、Ｘ２インターフェース）、コアネットワーク３０と通信する通信インターフェース（例えば、Ｓ１インターフェース）、および、ＵＥ１０との送受信信号を処理するプロセッサまたは回路などの中央処理装置（Ｃｅｎｔｒａｌ  Ｐｒｏｃｅｓｓｉｎｇ  Ｕｎｉｔ（ＣＰＵ））を含む。ｇＮＢ２０の動作は、プロセッサがメモリに格納されたデータおよびプログラムを処理または実行することにより実装され得る。しかし、ｇＮＢ２０は、上述のハードウェア構成に限定されず、当業者によって理解されるように、他の適切なハードウェア構成によって実現されてもよい。多数のｇＮＢ２０が、無線通信システム１のより広いサービスエリアをカバーするように配置され得る。
【００１８】
ＵＥ１０はｇＮＢ２０と多入力多出力（Ｍｕｌｔｉ  Ｉｎｐｕｔ  Ｍｕｌｔｉ  Ｏｕｔｐｕｔ（ＭＩＭＯ））技術を使用して制御情報およびユーザデータを含む、ＤＬ信号およびＵＬ信号を通信してもよい。ＵＥ１０は、移動局、スマートフォン、携帯電話、タブレット、モバイルルーター、またはウェアラブルデバイスなどの無線通信機能を有する情報処理装置であってもよい。無線通信システム１は、１以上のＵＥ１０を含んでもよい。
【００１９】
ＵＥ１０は、プロセッサ、ＲＡＭ（Ｒａｎｄｏｍ  Ａｃｃｅｓｓ  Ｍｅｍｏｒｙ）、フラッシュメモリ、ｇＮＢ２０とＵＥ１０との間で無線信号を送受信するための無線通信装置などのＣＰＵを含む。例えば、後述するＵＥ１０の動作は、メモリに格納されたデータおよびプログラムを、処理または実行するＣＰＵによって実現されてもよい。しかし、ＵＥ１０は、上述したハードウェア構成に限定されるものではなく、例えば、以下に説明する処理を実現するための回路で構成されてもよい。
【００２０】
（第１の実施例）
図２Ａは、既存のＬＴＥ規格による、従来のＣＳＩ取得スキームにおけるリソース割り当て方法を示す図である。図２Ａに示すように、従来のＣＳＩ取得（推定）スキームでは、第１のサブフレーム（サブフレーム＃１）（Ｔｒａｎｓｍｉｓｓｉｏｎ  Ｔｉｍｅ  Ｉｎｔｅｒｖａｌ（ＴＴＩ））は、下りリンクリソースにおけるＣＳＩ−ＲＳを含み、第２のサブフレーム（サブフレーム＃２）は、ＣＳＩフィードバックを含み、第３のサブフレーム（サブフレーム＃３）は、物理下りリンク制御チャネル（Ｐｈｙｓｉｃａｌ  Ｄｏｗｎｌｉｎｋ  Ｃｏｎｔｒｏｌ  Ｃｈａｎｎｅｌ（ＰＤＣＣＨ））および物理下りリンク共有チャネル（Ｐｈｙｓｉｃａｌ  Ｄｏｗｎｌｉｎｋ  Ｓｈａｒｅｄ  Ｃｈａｎｎｅｌ（ＰＤＳＣＨ））を含む。図２Ａでは、周波数領域における全ての周波数リソース（例えば、キャリア帯域幅またはシステム帯域幅）が、従来のＣＳＩ取得スキームにおけるＣＳＩ−ＲＳに割り当てられる。図２Ａでは、同じ周波数リソースがＣＳＩ−ＲＳ、フィードバック、ＰＤＣＣＨ、およびＰＤＳＣＨに適用される。
【００２１】
図２Ｂは、既存のＬＴＥ規格による、従来のＣＳＩ取得スキームの動作例を示すシーケンス図である。図２Ｂに示すように、ステップＳ１１で、ｅＮＢはＵＥへＣＳＩ−ＲＳを（全ての周波数リソース（例えば、キャリア帯域幅またはシステム帯域幅）を用いて）送信する。ステップＳ１２で、ＵＥは、受信したＣＳＩ−ＲＳに基づいてＣＳＩフィードバック情報を送信する。ステップＳ１３で、ｅＮＢはＵＥへＰＤＣＣＨを送信する。次に、ステップＳ１４で、ｅＮＢはＵＥへＰＤＳＣＨを送信する。
【００２２】
一方で、本発明の第１の実施例の１つ以上の実施形態によれば、図３Ａおよび図３Ｂに示すように、部分周波数リソースは、下りリンクＣＳＩ取得スキームでＣＳＩ−ＲＳに割り当てられてもよい。本発明の１つ以上の実施形態では、部分周波数リソースは、全ての周波数リソースの一部であってもよい。例えば、全ての周波数リソースは、キャリア帯域幅またはシステム帯域幅であってもよい。本発明の１つ以上の実施形態では、周波数リソースのそれぞれは、周波数領域におけるリソースブロックであってもよい。例えば、部分周波数リソースの数は、１以上であってもよい。
【００２３】
図３Ａおよび図３Ｂの実施例では、ＣＳＩ−ＲＳに割り当てられた部分周波数リソースは、帯域幅で連続であってもよい。別の例として、ＣＳＩ−ＲＳに割り当てられた部分周波数リソースは、帯域幅で連続でなくてもよい。例えば、部分周波数リソースは周波数領域内でホッピングされてもよい。
【００２４】
本発明の第１の実施例の１つ以上の実施形態では、例えば、ＣＳＩ−ＲＳに割り当てられた部分周波数リソースは、サブバンド情報またはサブバンドのグループとしての周波数リソースとして構成されてもよい。例えば、ＣＳＩ−ＲＳに割り当てられた部分周波数リソースは、ＰＤＳＣＨ／物理上りリンク共有チャネル（Ｐｈｙｓｉｃａｌ  Ｕｐｌｉｎｋ  Ｓｈａｒｅｄ  Ｃｈａｎｎｅｌ（ＰＵＳＣＨ））またはそれらのグループの事前定義されたリソース割り当て単位における周波数リソースとして構成されてもよい。例えば、ＣＳＩ−ＲＳに割り当てられた部分周波数リソースは、全ての周波数リソースの所定部分として構成されてもよい。
【００２５】
本発明の第１の実施例の１つ以上の実施形態によれば、図３Ａおよび図３Ｂでは、ＣＳＩ−ＲＳスケジューリング情報は、ＣＳＩ−ＲＳに割り当てられた周波数リソース（ＣＳＩ−ＲＳの送信帯域幅）を示す周波数リソース情報を含む。例えば、ＣＳＩ−ＲＳスケジューリング情報は、ＣＳＩ−ＲＳに割り当てられた部分周波数リソースの位置を示してもよい。例えば、部分周波数リソースの位置は、開始リソースおよび開始リソースからの周波数領域内の長さとして示されてもよい。ＣＳＩ−ＲＳスケジューリング情報は、ｇＮＢ２０からＵＥ１０へ通知されてもよい。スケジューリング情報は、部分周波数リソースまたは全ての周波数リソース（例えば、キャリア帯域幅またはシステム帯域幅）を示してもよい。ＣＳＩ−ＲＳスケジューリング情報は、ＣＳＩ−ＲＳ送信情報の一部であってもよい。ＵＥ１０は、周波数リソースがＣＳＩ−ＲＳスケジューリング情報で示されるＣＳＩ−ＲＳを用いてＣＳＩを推定し、推定したＣＳＩに基づいてＣＳＩフィードバックを送信してもよい。例えば、ＣＳＩフィードバックは、周波数リソースの各単位、例えばリソース割り当て単位またはそれらのグループに対して実行されてもよい。例えば、ＰＤＣＣＨに含まれる下りリンク制御情報（ＤＣＩ）は、スケジューリング情報を含む。また、スケジューリング情報は、ＤＣＩと、Ｒａｄｉｏ  Ｒｅｓｏｕｒｃｅ  Ｃｏｎｔｒｏｌ（ＲＲＣ）シグナリングおよび／またはＭｅｄｉａ  Ａｃｃｅｓｓ  Ｃｏｎｔｒｏｌ  Ｃｏｎｔｒｏｌ  Ｅｌｅｍｅｎｔ（ＭＡＣ  ＣＥ）と、を用いて通知されてもよい。
【００２６】
例えば、図３Ｂでは、ＰＤＣＣＨのＤＣＩは、ＣＳＩ−ＲＳおよびＰＤＳＣＨ（ジョイントシグナリング）などのデータチャネルの両方に割り当てられる周波数リソースを示してもよい。例えば、ＰＤＣＣＨのＤＣＩは、例えば、ＣＳＩ取得にチャネル相反性を用いるシステムの場合、ＣＳＩ−ＲＳおよびＰＵＳＣＨ（ジョイントシグナリング）などのデータチャネルの両方に割り当てられる周波数リソースを示してもよい。つまり、図３Ｂで示すように、ＣＳＩ−ＲＳおよびＰＤＳＣＨの両方に割り当てられる周波数リソースは、同じになるように構成されてもよい。
【００２７】
本発明の第１の実施例の１つ以上の実施形態によれば、データチャネル（ＰＤＳＣＨ）に割り当てられる周波数リソースは、サブバンドまたは複数のサブバンドのグループとしてシグナリングされてもよい。例えば、ｇＮＢ２０は、周波数リソースがサブバンドまたは複数のサブバンドのグループとして構成されるように、ＣＳＩフィードバックに基づいてデータチャネル（ＰＤＳＣＨ）に割り当てられる周波数リソースを決定してもよい。次に、ｇＮＢは、サブバンドまたは複数のサブバンドのグループとしてシグナリングした、決定した周波数リソースを用いてデータチャネル（ＰＤＳＣＨ）を送信してもよい。
【００２８】
図４は、本発明の第１の実施例の１つ以上の実施形態による、下りリンクＣＳＩ取得スキームの動作例を示すシーケンス図である。
【００２９】
図４に示すように、ステップＳ１０１で、ｇＮＢ２０はＵＥ１０へＤＣＩを含むＰＤＣＣＨを送信してもよい。ＤＣＩは、ＣＳＩ−ＲＳに割り当てられた部分周波数リソースの位置（例えば、ＣＳＩ−ＲＳの送信帯域幅）を示すＣＳＩ−ＲＳスケジューリング情報を含んでもよい。部分周波数リソースの位置は、周波数領域および部分周波数リソースに割り当てられた帯域幅における初期ＲＢインデックスとして示されてもよい。
【００３０】
ステップＳ１０２では、ｇＮＢ２０はＵＥ１０へ部分周波数リソースを用いてＣＳＩ−ＲＳを送信してもよい。
【００３１】
ＵＥ１０がＣＳＩ−ＲＳスケジューリング情報を用いてＣＳＩ−ＲＳを受信する場合、ＵＥ１０は、受信したＣＳＩ−ＲＳに基づいてＣＳＩ計算を実行してもよい。ステップＳ１０３で、ＵＥ１０は、計算したＣＳＩに基づいてＣＳＩフィードバック情報を送信してもよい。ＣＳＩフィードバック情報は、ランクインジケータ（Ｒａｎｋ  Ｉｎｄｉｃａｔｏｒ（ＲＩ））、ＣＳＩ−ＲＳリソースインジケータ（ＣＳＩ−ＲＳ  ｒｅｓｏｕｒｃｅ  ｉｎｄｉｃａｔｏｒ（ＣＲＩ））、プリコーディング行列インジケータ（Ｐｒｅｃｏｄｉｎｇ  Ｍａｔｒｉｘ  Ｉｎｄｉｃａｔｏｒ（ＰＭＩ））、チャネル品質インジケータ（Ｃｈａｎｎｅｌ  Ｑｕａｌｉｔｙ  Ｉｎｄｉｃａｔｏｒ（ＣＱＩ））、および／または参照信号受信電力（Ｒｅｆｅｒｅｎｃｅ  Ｓｉｇｎａｌ  Ｒｅｃｅｉｖｅｄ  Ｐｏｗｅｒ（ＲＳＲＰ））を含む。
【００３２】
ステップＳ１０４で、ｇＮＢ２０は、ＵＥ１０へ、受信したＰＭＩを用いてプリコーディングされたＰＤＳＣＨを送信してもよい。
【００３３】
したがって、本発明の第１の実施例の１つ以上の実施形態によれば、下りリンクＣＳＩ取得スキームにおいて、ＣＳＩ−ＲＳは部分周波数リソースを用いて送信され得る。結果として、効率的なチャネル推定が達成される。
【００３４】
（第１の変更例）
本発明の第１の変更例の１つ以上の実施形態によれば、図５に示すように、ＰＤＣＣＨは、ＣＳＩ−ＲＳ送信およびデータチャネル（ＰＤＳＣＨ）送信のそれぞれの前に送信されてもよい。例えば、ＣＳＩ−ＲＳ送信前の第１のＰＤＣＣＨ（第１のＤＣＩ）は、ＣＳＩ−ＲＳ送信情報（例えば、ＣＳＩ−ＲＳスケジューリング情報、疑似コロケーション情報、など）を含んでもよい。ＰＤＳＣＨ送信前の第２のＰＤＣＣＨ（第２のＤＣＩ）は、残りのグラント情報（例えば、変調および符号化スキーム（Ｍｏｄｕｌａｔｉｏｎ  ａｎｄ  Ｃｏｄｉｎｇ  Ｓｃｈｅｍｅ（ＭＣＳ）情報））を含んでもよい。例えば、第１のＤＣＩは、ＣＳＩ−ＲＳおよびデータチャネル送信の両方に関連付けられてもよい。例えば、第２のＤＣＩは、データチャネル送信に関連付けられてもよい。
【００３５】
本発明の第１の変更例の１つ以上の実施形態によれば、図６に示すように、ＣＳＩフィードバックは、ＣＳＩ−ＲＳ測定に基づいて選択される周波数リソースを示す情報を含んでもよい。つまり、ＵＥ１０は、ｇＮＢ２０に、部分周波数リソースを用いて送信されたＣＳＩ−ＲＳに基づくＣＳＩ−ＲＳ測定に基づいて選択される周波数リソースを通知してもよい。最良／良好な特性を有する周波数リソースは、ＣＳＩ（例えば、ＲＩおよびＣＱＩ）、ＲＳＲＰ、または別のインジケータに基づいて選択されてもよい。
【００３６】
また、本発明の第１の変更例の１つ以上の実施形態によれば、図６に示すように、周波数リソースは、ＰＤＳＣＨ送信前の第２のＰＤＣＣＨを用いて制限されてもよい。例えば、ＣＳＩ−ＲＳ多重リソースを考慮して周波数リソースを制限するために用いられる情報が通知されてもよい。
【００３７】
図７は、本発明の第１の変形例の１つ以上の実施形態による、下りリンクＣＳＩ取得スキームの動作例を示すシーケンス図である。
【００３８】
図７に示すように、ステップＳ１１１で、ｇＮＢ２０はＵＥ１０へＤＣＩを含むＰＤＣＣＨを送信してもよい。ＤＣＩは、ＣＳＩ−ＲＳに割り当てられた周波数リソースを示すＣＳＩ−ＲＳスケジューリング情報を含んでもよい。
【００３９】
ステップＳ１１２で、ｇＮＢ２０はＵＥ１０へ部分周波数リソースを用いてＣＳＩ−ＲＳを送信してもよい。
【００４０】
ＵＥ１０がＣＳＩ−ＲＳスケジューリング情報を用いてＣＳＩ−ＲＳを受信する場合、ＵＥ１０は受信したＣＳＩ−ＲＳに基づいてＣＳＩ計算を実行してもよい。ステップＳ１１３で、ＵＥ１０は計算したＣＳＩに基づいてＣＳＩフィードバック情報を送信してもよい。ＣＳＩフィードバック情報は、最良／良好な特性を有する周波数リソースを示す情報を含んでもよい。
【００４１】
ステップＳ１１４で、ｇＮＢ２０はＵＥ１０へ、グラント情報を示すＰＤＣＣＨを送信してもよい。ＤＣＩはＣＳＩ−ＲＳに割り当てられた周波数リソースを示すＣＳＩ−ＲＳスケジューリング情報を含んでもよい。
【００４２】
ステップＳ１１５で、ｇＮＢ２０は、ＵＥ１０へ、最良／良好な特性を有する周波数リソースを用いてプリコーディングされたＰＤＳＣＨを送信してもよい。
【００４３】
本発明の第１の変更例の１つ以上の実施形態によれば、データチャネル（ＰＤＳＣＨ）に割り当てられた周波数リソースは、サブバンドまたは複数のサブバンドのグループとしてシグナリングされてもよい。例えば、ｇＮＢ２０は、サブバンドまたは複数のサブバンドのグループとしてシグナリングしたデータチャネル（ＰＤＳＣＨ）に割り当てられた周波数リソースを独立に（ＣＳＩフィードバックなしで）決定してもよい。つまり、サブバンドまたは複数のサブバンドのグループとしてシグナリングしたＰＤＳＣＨに割り当てられ、決定される周波数リソースは、ＣＳＩフィードバックの結果に関連付けられなくてもよい。
【００４４】
（第２の実施例）
本発明の第２の実施例の１つ以上の実施形態によれば、ＣＳＩ干渉測定（ＣＳＩ−Ｉｎｔｅｒｆｅｒｅｎｃｅ  Ｍｅａｓｕｒｅｍｅｎｔ（ＩＭ））に用いられる周波数リソースは、全ての周波数リソースの一部（例えば、キャリア帯域幅またはシステム帯域幅）で構成されてもよい。ＩＭは、干渉推定と呼ばれてもよい。図８に示すように、１以上の部分周波数リソースは、ＣＳＩ−ＩＭに割り当てられてもよい。例えば、ＣＳＩ−ＩＭに割り当てられた部分周波数リソースは、周波数領域内で連続であってもよい。例えば、部分周波数リソースは、周波数領域内でホッピングされてもよい。
【００４５】
図９は、本発明の第２の実施例の１つ以上の実施形態による、ＣＳＩ−ＩＭに基づく干渉測定の動作例を示すシーケンス図である。
【００４６】
図９で示すように、ステップＳ１１１で、ｇＮＢ２０はＵＥ１０へＣＳＩ−ＩＭに割り当てられた部分周波数リソースの位置を示すスケジューリング情報を通知してもよい。スケジューリング情報は、ＤＣＩに含まれてもよい。部分周波数リソースの位置は、開始リソースおよび開始リソースから周波数領域内での長さ（送信帯域幅）として示されてもよい。
【００４７】
ステップＳ１１２で、ｇＮＢ２０は部分周波数リソースを用いてＣＳＩ−ＩＭを送信してもよい。部分周波数リソースは、周波数領域におけるステップＳ１１１で通知された位置に配置される。
【００４８】
ステップＳ１１３で、ＵＥ１０は、受信したＣＳＩ−ＩＭに基づいて干渉測定を実行してもよい。
【００４９】
また、ＩＭに用いられる参照信号は、ゼロパワー（ＺＰ）ＣＳＩ−ＲＳ、ノンゼロパワー（ＮＺＰ）ＣＳＩ−ＲＳ、ＤＭ−ＲＳ、または、他のＺＰリソースまたはＮＺＰリソースであってもよい。例えば、ＣＳＩ−ＩＭに割り当てられた部分周波数リソースは、チャネル推定に用いられるＣＳＩ−ＲＳに割り当てられた部分周波数リソースと同じであってもよい。
【００５０】
（第３の実施例）
本発明の第３の実施例の１つ以上の実施形態によれば、ＺＰ  ＣＳＩ−ＲＳに用いられる周波数リソースは、すべての周波数リソースの一部（例えば、キャリア帯域幅またはシステム帯域幅）で構成されてもよい。図１０に示すように、１以上の部分周波数リソースは、ＺＰ  ＣＳＩ−ＲＳに割り当てられてもよい。例えば、ＺＰ  ＣＳＩ−ＲＳに割り当てられられた部分周波数リソースは、周波数領域内で連続であってもよい。例えば、部分周波数リソースは、周波数領域内でホッピングされてもよい。
【００５１】
図１１は、本発明の第３の実施例の１つ以上の実施形態による、ＺＰ  ＣＳＩ−ＲＳに基づく干渉測定の動作例を示すシーケンス図である。
【００５２】
図１１に示すように、ステップＳ１２１で、ｇＮＢ２０はＵＥ１０へＺＰ  ＣＳＩ−ＲＳに割り当てられた部分周波数リソースの位置を示すスケジューリング情報を通知してもよい。スケジューリング情報は、ＤＣＩに含まれてもよい。部分周波数リソースの位置は、開始リソースおよび開始リソースから周波数領域内での長さ（送信帯域幅）として示されてもよい。
【００５３】
ステップＳ１２２で、ｇＮＢ２０は、部分周波数リソースを用いてＣＳＩ−ＩＭを送信してもよい。部分周波数リソースは、周波数領域におけるステップＳ１１１で通知される位置に配置されてもよい。
【００５４】
ステップＳ１２３で、ＵＥ１０は、受信したＺＰ  ＣＳＩ−ＲＳに基づいて干渉測定を実行してもよい。
【００５５】
（第４の実施例）
本発明の第１の実施例の１つ以上の実施形態による、下りリンクＣＳＩ取得スキームに適用される前述の技術は、上りリンクＣＳＩ取得スキームに適用されてもよい。本発明の第４の実施例の１つ以上の実施形態によれば、図１２に示すように、部分周波数リソースは上りリンクＣＳＩ取得スキームにおけるサウンディング参照信号（Ｓｏｕｎｄｉｎｇ  Ｒｅｆｅｒｅｎｃｅ  Ｓｉｇｎａｌ（ＳＲＳ））に割り当てられてもよい。
【００５６】
図１２の例では、ＳＲＳに割り当てられた部分周波数リソースは、帯域幅で連続であってもよい。別の例として、ＳＲＳに割り当てられた部分周波数リソースは、帯域幅で連続でなくてもよい。例えば、部分周波数リソースは、周波数領域内でホッピングされてもよい。
【００５７】
本発明の第４の実施例の１つ以上の実施形態では、例えば、ＳＲＳに割り当てられた部分周波数リソースは、サブバンドまたはそれらのグループとして構成されてもよい。例えば、ＳＲＳに割り当てられた部分周波数リソースは、ＰＤＳＣＨ／ＰＵＳＣＨまたはそれらのグループのリソース割り当て単位における周波数リソースとして構成されてもよい。例えば、ＳＲＳに割り当てられた部分周波数リソースは、全ての周波数リソースの所定部分として構成されてもよい。
【００５８】
本発明の第４の実施例の１つ以上の実施形態によれば、図１２に示すように、ＳＲＳに割り当てられた周波数リソース（ＳＲＳの送信帯域幅）は、指定されてもよい。例えば、ＰＤＣＣＨのＤＣＩは、ＳＲＳに割り当てられた周波数リソースを指定するＳＲＳスケジューリング情報を含んでもよい。また、ＳＲＳに割り当てられた周波数リソースは、ＤＣＩと、ＲＲＣシグナリングおよび／またはＭＡＣ  ＣＥを用いて指定されてもよい。
【００５９】
例えば、図１２において、ＰＤＣＣＨのＤＣＩは、ＳＲＳおよびＰＵＳＣＨ（ジョイントシグナリング）などのデータチャネルの両方に割り当てられた周波数リソースを示してもよい。例えば、ＰＤＣＣＨのＤＣＩは、例えば、ＣＳＩ取得にチャネル相反性を用いるシステムの場合、ＳＲＳおよびＰＤＳＣＨ（ジョイントシグナリング）などのデータチャネルの両方に割り当てられた周波数リソースを示してもよい。つまり、図１２に示すように、ＳＲＳおよびＰＵＳＣＨの両方に割り当てられた周波数リソースは、同じになるように構成されてもよい。
【００６０】
図１３は、本発明の第４の実施例の１つ以上の実施形態による、上りリンクＣＳＩ取得スキームの動作例を示すシーケンス図である。
【００６１】
図１３に示すように、ステップＳ２０１では、ｇＮＢ２０はＵＥ１０へＤＣＩを含むＰＤＣＣＨを送信してもよい。ＤＣＩは、ＳＲＳに割り当てられる周波数リソース（ＳＲＳの送信帯域幅）を指定するＳＲＳスケジューリング情報を含んでもよい。また、ＰＤＣＣＨは、ステップＳ２０１で送信されなくてもよい。
【００６２】
ステップＳ２０２で、ＵＥ１０はｇＮＢ２０へ部分周波数リソースを用いてＳＲＳを送信してもよい。ＵＥ１０がＳＲＳに割り当てられた周波数リソースを指定するＤＣＩを受信する場合、ＳＲＳに割り当てられた部分周波数リソースは、ＤＣＩによって指定された周波数リソースに基づいて決定される。
【００６３】
ステップＳ２０３で、ｇＮＢ２０はＵＥ１０へ、ＰＤＣＣＨを送信してもよい。
【００６４】
ステップＳ２０４で、ｇＮＢ２０はＵＥ１０へ、ＰＵＳＣＨを送信してもよい。
【００６５】
したがって、本発明の第４の実施例の１つ以上の実施形態によれば、上りリンクＣＳＩ取得スキームにおいて、ＳＲＳは部分周波数リソースを用いて送信され得る。結果として、効果的なチャネル推定が達成され得る。
【００６６】
また、本発明の第４の実施例の１つ以上の実施形態では、干渉推定は部分周波数リソースを用いてＵＥ１０によって実行されてもよい。干渉推定に用いられるリソースは、ＺＰ  ＳＲＳ、ＮＺＰ  ＳＲＳ、ＤＭ−ＲＳ、または別のＺＰリソースまたはＮＺＰリソースであってもよい。また、干渉推定に用いられるＲＳに割り当てられた周波数リソースを示すＲＳスケジューリング情報は、ｇＮＢ２０からＵＥ１０へ送信されてもよい。例えば、干渉推定に用いられるＲＳに割り当てられた周波数リソースおよびチャネル推定に用いられるＳＲＳは、同じであってもよい。
【００６７】
本発明の第４の実施例の１つ以上の実施形態によれば、図１２に示すように、ＰＤＣＣＨは、ＳＲＳ送信およびデータチャネル（ＰＵＳＣＨ）送信のそれぞれの前に送信されてもよい。例えば、図１３におけるステップＳ２０１でのＳＲＳ送信前の第１のＰＤＣＣＨは、ＳＲＳ送信情報（例えば、ＳＲＳスケジューリング情報など）を含んでもよい。図１３におけるステップＳ２０３でのＰＵＳＣＨ送信前の第２のＰＤＣＣＨは、残りのグラント情報（例えば、ＭＣＳ情報）を含んでもよい。
【００６８】
（第４の変形例）
本発明の第４の変形例の１つ以上の実施形態によれば、図１４に示すように、ＰＵＳＣはＳＲＳの受信結果を用いて送信されてもよい。例えば、ｇＮＢ２０はＵＥ１０へ、受信したＳＲＳに基づいて最良／良好な特性を有する周波数リソースを検出し、最良／良好な特性を有する周波数リソースを用いてＰＵＳＣＨを送信してもよい。
【００６９】
また、本発明の第４の変形例の１つ以上の実施形態によれば、図１４に示すように、周波数リソースは、ＰＵＳＣＨ送信前の第２のＰＤＣＣＨを用いることに制限されてもよい。例えば、ＳＲＳ多重リソースを考慮して周波数リソースを制限するために用いる情報が通知されてもよい。
【００７０】
（第５の実施例）
本発明の第１の実施例の１つ以上の実施形態による下りリンクＣＳＩ取得スキームにおけるＣＳＩ−ＲＳ送信に適用される前述の技術は、下りリンクＣＳＩ取得スキームにおけるＳＲＳ送信に適用されてもよい。本発明の第５の実施例の１つ以上の実施形態によれば、図１５に示すように、部分周波数リソースは、相反性を用いる下りリンクＣＳＩ取得スキームにおけるＳＲＳに割り当てられてもよい。
【００７１】
図１５の例において、ＳＲＳに割り当てられた部分周波数リソースは、帯域幅で連続であってもよい。別の例として、ＳＲＳに割り当てられた部分周波数リソースは帯域幅で連続でなくてもよい。例えば、部分周波数リソースは、周波数領域内でホッピングされてもよい。
【００７２】
本発明の第５の実施例の１つ以上の実施形態では、例えば、ＳＲＳに割り当てられた部分周波数リソースは、サブバンドまたはそれらのグループとして構成されてもよい。例えば、ＳＲＳに割り当てられた部分周波数リソースは、ＰＤＳＣＨ／ＰＵＳＣＨまたはそれらのグループのリソース割り当て単位における周波数リソースとして構成されてもよい。例えば、ＳＲＳに割り当てられた部分周波数リソースは、全ての周波数リソースの所定部分として構成されてもよい。
【００７３】
本発明の第５の実施例の１つ以上の実施形態によれば、図１５に示すように、ＳＲＳに割り当てられた周波数リソース（ＳＲＳの送信帯域幅）は、指定されてもよい。例えば、ＰＤＣＣＨのＤＣＩは、ＳＲＳに割り当てられた周波数リソースを指定するＳＲＳスケジューリング情報を含む。また、ＳＲＳに割り当てられた周波数リソースは、ＤＣＩと、ＲＲＣシグナリングおよび／またはＭＡＣ  ＣＥを用いて指定されてもよい。
【００７４】
例えば、図１５では、ＰＤＣＣＨのＤＣＩはＳＲＳ、ＣＳＩ−ＲＳ、およびＰＵＳＣＨ（ジョイントシグナリング）などのデータチャネルに割り当てられた周波数リソースを示してもよい。つまり、図１５に示すように、ＳＲＳおよびＰＵＳＣＨの両方に割り当てられた周波数リソースは、同じになるように構成されてもよい。
【００７５】
また、本発明の第５の実施例の１つ以上の実施形態では、干渉推定は、ＤＣＩによって指定されたＳＲＳに割り当てられた周波数リソースを用いてＵＥ１０によって実行されてもよい。
【００７６】
図１６は、本発明の第５の実施例の１つ以上の実施形態による、上りリンクＣＳＩ取得スキームの動作例を示すシーケンス図である。
【００７７】
図１６に示すように、ステップＳ３０１で、ｇＮＢ２０はＵＥ１０へＤＣＩを含むＰＤＣＣＨを送信してもよい。ＤＣＩは、ＳＲＳに割り当てられた周波数リソース（ＳＲＳの送信帯域幅）を指定するＳＲＳスケジューリング情報を含んでもよい。また、ＤＣＩは、ＣＳＩ−ＲＳスケジューリング情報を含んでもよい。また、ＰＤＣＣＨはステップＳ３０１で送信されなくてもよい。
【００７８】
ステップＳ３０２で、ＵＥ１０はｇＮＢ２０へ部分周波数リソースを用いてＳＲＳを送信してもよい。ＵＥ１０がＳＲＳに割り当てられた周波数リソースを指定するＤＣＩを受信する場合、ＳＲＳに割り当てられた部分周波数リソースは、ＤＣＩによって指定された周波数リソースに基づいて決定される。
【００７９】
ステップＳ３０３で、ｇＮＢ２０はＵＥ１０へＰＤＣＣＨを送信してもよい。また、ＰＤＣＣＨは、ステップＳ３０３で送信されなくてもよい。
【００８０】
ステップＳ３０４で、ｇＮＢ２０はＵＥ１０へ部分周波数リソースを用いてＣＳＩ−ＲＳを送信してもよい。
【００８１】
ＵＥ１０がＣＳＩ−ＲＳスケジューリング情報を用いてＣＳＩ−ＲＳを受信する場合、ＵＥ１０は、受信したＣＳＩ−ＲＳに基づいてＣＳＩ計算を実行してもよい。ステップＳ３０５で、ＵＥ１０は、計算したＣＳＩに基づいてＣＳＩフィードバック情報を送信してもよい。
【００８２】
ステップＳ３０６で、ｇＮＢ２０はＵＥ１０へＰＤＣＣＨを送信してもよい。
【００８３】
ステップＳ３０７で、ｇＮＢ２０はＵＥ１０へＰＤＳＣＨを送信してもよい。
【００８４】
したがって、本発明の第５の実施例の１つ以上の実施形態によれば、下りリンクＣＳＩ取得スキームにおいて、ＳＲＳは部分周波数リソースを用いて送信され得る。結果として、効果的なチャネル推定が達成され得る。
【００８５】
（第５の変形例）
本発明の第５の変形例の１つ以上の実施形態によれば、図１７に示すように、複数のＰＤＣＣＨがＳＲＳ送信、ＣＳＩ−ＲＳ送信およびデータチャネル（ＰＤＳＣＨ）送信に適用されてもよい。例えば、図１６におけるステップＳ３０１でのＳＲＳ送信前の第１のＰＤＣＣＨは、ＳＲＳ送信情報（例えば、ＳＲＳスケジューリング情報など）を含んでもよい。図１６におけるステップＳ３０３でのＣＳＩ−ＲＳ送信およびＰＵＳＣＨ送信前の第２のＰＤＣＣＨは、グラント情報（例えば、ＣＳＩ−ＲＳと、データチャネル（ＰＤＳＣＨ）および／またはＭＣＳ情報のスケジューリング情報）を含んでもよい。
【００８６】
本発明の第５の変形例の１つ以上の実施形態によれば、図１７に示すように、ＣＳＩ−ＲＳおよびＰＵＳＣＨは、ＳＲＳの受信結果を用いて送信されてもよい。例えば、ｇＮＢ２０は受信したＳＲＳに基づいて周波数リソース（例えば、最良／良好な特性を有する周波数リソース）を決定し、ＵＥ１０へ最良／良好な特性を有する周波数リソースを用いてＣＳＩ−ＲＳおよびＰＵＳＣＨを送信してもよい。
【００８７】
また、本発明の第５の変形例の１つ以上の実施形態によれば、図１７に示すように、周波数リソースは、ＣＳＩ−ＲＳ送信およびＰＤＳＣＨ送信前の第２のＰＤＣＣＨを用いて制限されてもよい。例えば、ＳＲＳ多重リソースを考慮して周波数リソースを制限するために用いられる情報は通知されてもよい。ＣＳＩ−ＲＳおよびＰＤＳＣＨに割り当てられた周波数リソースは、第２のＰＤＣＣＨを用いて制限されてもよい。
【００８８】
（第６の実施例）
本発明の第１の実施例の１つ以上の実施形態による、下りリンクＣＳＩ取得スキームに適用される前述の技術は、上りリンクＣＳＩ取得スキームに適用されてもよい。本発明の第６の実施例の１つ以上の実施形態によれば、図１８に示すように、部分周波数リソースは、相反性を用いる上りリンクＣＳＩ取得スキームにおけるＣＳＩ−ＲＳに割り当てられてもよい。
【００８９】
図１８の例では、ＣＳＩ−ＲＳに割り当てられた部分周波数リソースは、帯域幅で連続であってもよい。別の例として、ＣＳＩ−ＲＳに割り当てられた部分周波数リソースは、帯域幅で連続でなくてもよい。例えば、部分周波数リソースは、周波数領域内でホッピングされてもよい。
【００９０】
本発明の第６の実施例の１つ以上の実施形態では、例えば、ＣＳＩ−ＲＳに割り当てられた部分周波数リソースは、サブバンドまたはそれらのグループとして構成されてもよい。例えば、ＣＳＩ−ＲＳに割り当てられた部分周波数リソースは、ＰＤＳＣＨ／ＰＵＳＣＨまたはそれらのグループのリソース割り当て単位における周波数リソースとして構成されてもよい。例えば、ＣＳＩ−ＲＳに割り当てられた部分周波数リソースは、全ての周波数リソースの所定部分として構成されてもよい。
【００９１】
本発明の第６の実施例の１つ以上の実施形態によれば、図１８に示すように、ＣＳＩ−ＲＳに割り当てられた周波数リソース（ＣＳＩ−ＲＳの送信帯域幅）を示すＣＳＩ−ＲＳスケジューリング情報は、ｇＮＢ２０からＵＥ１０へ通知されてもよい。ＣＳＩ−ＲＳスケジューリング情報ＣＳＩ−ＲＳ送信情報の一部であってもよい。ＵＥ１０は、ＣＳＩ−ＲＳスケジューリング情報において周波数リソースが示されるＣＳＩ−ＲＳを用いてＣＳＩを推定し、推定したＣＳＩに基づいてＣＳＩフィードバックを送信してもよい。例えば、ＰＤＣＣＨに含まれるＤＣＩは、スケジューリング情報を含む。また、スケジューリング情報は、ＤＣＩと、ＲＲＣシグナリングおよび／またはＭＡＣ  ＣＥを用いて通知されてもよい。
【００９２】
例えば、図１８では、ＰＤＣＣＨのＤＣＩは、ＣＳＩ−ＲＳと、少なくとも１つのＳＲＳおよびデータチャネル（ジョイントシグナリング）に割り当てられた周波数リソースを示してもよい。つまり、図１８に示すように、ＣＳＩ−ＲＳおよびＰＤＳＣＨの両方に割り当てられた周波数リソースは、同じであるように構成されてもよい。
【００９３】
また、本発明の第６の実施例の１つ以上の実施形態では、干渉推定は、ＤＣＩによって指定したＣＳＩ−ＲＳに割り当てられた周波数リソースを用いてＵＥ１０によって実行されてもよい。
【００９４】
また、本発明の第６の実施例の１つ以上の実施形態では、ＵＥ１０は、ＣＳＩ−ＲＳの受信結果に基づいてＳＲＳにプリコーディングを適用してもよい。また、ＳＲＳをプリコーディングする必要があるかどうかを示す情報は、シグナリングされてもよい。
【００９５】
本発明の第５の実施例の１つ以上の実施形態によれば、図１８に示すように、複数のＰＤＣＣＨが、ＣＳＩ−ＲＳ送信、ＳＲＳ送信およびデータチャネル（ＰＤＳＣＨ）送信に適用されてもよい。例えば、ＣＳＩ−ＲＳ送信前の第１のＰＤＣＣＨは、ＣＳＩ−ＲＳ送信情報（例えば、ＣＳＩ−ＲＳスケジューリング情報、疑似コロケーション情報、など）を含んでもよい。ＰＵＳＣＨ送信前の第２のＰＤＣＣＨはグラント情報（例えば、データチャネル（ＰＤＳＣＨ）のスケジューリング情報および／またはＭＣＳ情報）を含んでもよい。
【００９６】
図１９は、本発明の第６の実施例の１つ以上の実施形態による、上りリンクＣＳＩ取得スキームの動作例を示すシーケンス図である。
【００９７】
図１９に示すように、ステップＳ４０１で、ｇＮＢ２０はＵＥ１０へＤＣＩを含むＰＤＣＣＨを送信してもよい。ＤＣＩは、ＣＳＩ−ＲＳに割り当てられた周波数リソース（ＣＳＩ−ＲＳの送信帯域幅）を示すＣＳＩ−ＲＳスケジューリング情報を含んでもよい。また、ＤＣＩはＳＲＳスケジューリング情報を含んでもよい。また、ＰＤＣＣＨはステップＳ４０１で送信されなくてもよい。
【００９８】
ステップＳ４０２で、ｇＮＢ２０はＵＥ１０へ部分周波数リソースを用いてＣＳＩ−ＲＳを送信してもよい。
【００９９】
ステップＳ４０３で、ｇＮＢ２０はＵＥ１０へＰＤＣＣＨを送信してもよい。また、ＰＤＣＣＨは、ステップＳ４０３で送信されなくてもよい。
【０１００】
ステップＳ４０４で、ＵＥ１０はｇＮＢ２０へ部分周波数リソースを用いてＳＲＳを送信してもよい。
【０１０１】
ステップＳ４０６で、ｇＮＢ２０はＵＥ１０へＰＤＣＣＨを送信してもよい。
【０１０２】
ステップＳ４０７で、ｇＮＢ２０はＵＥ１０へＰＤＳＣＨを送信してもよい。
【０１０３】
したがって、本発明の第１の実施例の１つ以上の実施形態によれば、上りリンクＣＳＩ取得スキームにおいて、ＣＳＩ−ＲＳは部分周波数リソースを用いて送信され得る。結果として、効果的なチャネル推定が達成され得る。
【０１０４】
（第６の変形例）
本発明の第６の変形例の１つ以上の実施形態によれば、図２０に示すように、ＳＲＳおよびＰＵＳＣＨは、ＣＳＩ−ＲＳの受信結果を用いて送信されてもよい。例えば、ＵＥ１０は、受信したＣＳＩ−ＲＳを用いて、ＣＳＩ測定に基づいて選択される周波数リソース（例えば、最良／良好な特性を有する周波数リソース）を検出し、検出した最良／良好な特性を有する周波数リソースをフィードバックとしてｇＮＢ２０へ送信してもよい。例えば、ＵＥ１０はｇＮＢ２０へ最良／良好な特性を有する周波数リソースを用いてＳＲＳを送信してもよい。
【０１０５】
また、本発明の第６の変形例の１つ以上の実施形態によれば、図２０に示すように、周波数リソースは、ＰＵＳＣＨ送信前の第２のＰＤＣＣＨを用いて制限されてもよい。例えば、ＳＲＳ多重リソースを考慮して周波数リソースを制限するために用いられる情報は通知されてもよい。ＳＲＳおよびＰＵＳＣＨに割り当てられた周波数リソースは、第２のＰＤＣＣＨを用いて制限されてもよい。
【０１０６】
（第７の実施例）
本発明の第７の実施例の１つ以上の実施形態によれば、より効果的なチャネル推定を達成するために、チャネル測定リソースおよび／または干渉推定リソースの多重密度はリソースの帯域幅（例えば、リソースに割り当てられたリソースブロック（ＲＢ）の数）にしたがって変更されてもよい。例えば、ＲＢ毎のリソースの多重密度は、増加または減少されてもよい。例えば、リソースの多重密度は、リソースに割り当てられた周波数リソースの総数にしたがって変更されてもよい。別の例として、リソースの多重密度は、連続する周波数帯域幅の数にしたがって変更されてもよい。
【０１０７】
本発明の第７の実施例の１つ以上の実施形態では、ｇＮＢ２０はＵＥ１０へＲＲＣシグナリング、ＭＡＣ  ＣＥおよびＤＣＩの少なくとも１つを用いて多重密度を通知してもよい。
【０１０８】
（別の実施例）
本発明の上記の第１から第７の実施例の１つ以上の実施形態では、段階的なＣＳＩ取得方法が提案される。例えば、本発明の１つ以上の実施形態では、物理信号およびチャネルの時間領域での位置関係が定義されてもよい。
【０１０９】
例えば、複数のＰＤＣＣＨが用いられる場合、複数のＰＤＣＣＨの相対的な位置関係は、仕様（規格）で定義されてもよい。例えば、複数のＰＤＣＣＨの相対的な位置関係は、ｇＮＢ２０からＵＥ１０へＲＲＣシグナリング、ＭＡＣ  ＣＥおよびＤＣＩの少なくとも１つを用いて通知されてもよい。
【０１１０】
例えば、複数のＰＤＣＣＨを互いに関連付けるインデックスは、ｇＮＢ２０からＵＥ１０へ通知されてもよい。例えば、一意のインデックスは、複数のＰＤＣＣＨを互いに関連付けてもよい。
【０１１１】
例えば、相対的な位置関係の定義と通知は、他の信号およびチャネルの組み合わせにより適用されてもよい。組み合わせは次の通りであってもよい。
ＰＤＣＣＨ送信およびＳＲＳ送信の組み合わせ
ＰＤＣＣＨ送信、ＳＲＳ送信およびＣＳＩ−ＲＳ送信の組み合わせ
ＳＲＳ送信およびＣＳＩ−ＲＳ送信の組み合わせ
ＰＤＣＣＨ送信、ＣＳＩ−ＲＳ送信およびＳＲＳ送信の組み合わせ
ＣＳＩ−ＲＳ送信およびＳＲＳ送信の組み合わせ
【０１１２】
本発明の別の実施例の１つ以上の実施形態によれば、ＰＵＳＣＨなどのデータチャネルに割り当てられた周波数リソースはサブバンドまたは複数のサブバンドのグループとしてシグナリングされてもよい。例えば、ｇＮＢ２０は周波数リソースがサブバンドまたは複数のサブバンドのグループとしてシグナリングされるように、ＳＲＳに基づいてＰＵＳＣＨに割り当てられた周波数リソースを決定してもよい。次に、ｇＮＢ２０は、サブバンドまたは複数のサブバンドのグループとして構成された、決定した周波数リソースを用いてＰＵＳＣＨを送信してもよい。
【０１１３】
また、ｇＮＢ２０は、サブバンドまたは複数のサブバンドのグループとしてシグナリングされるＰＤＳＣＨに割り当てられた周波数リソースを独立に決定してもよい（ＳＲＳ）。つまり、サブバンドまたは複数のサブバンドのグループとしてシグナリングされるＰＤＳＣＨに割り当てられた、決定した周波数リソースは受信したＳＲＳと関連付けられなくてもよい。
【０１１４】
（ｇＮＢの構成）
以下、図２１を参照して、本発明の１つ以上の実施形態によるｇＮＢ２０について説明する。図２１は、本発明の１つ以上の実施形態によるｇＮＢ２０の概略構成を示す図である。ｇＮＢ２０は、複数のアンテナ（アンテナ要素グループ）２０１、アンプ部２０２、送受信部（送信部／受信部）２０３、ベースバンド信号処理部２０４、呼処理部２０５および伝送路インタフェース２０６を含んでもよい。
【０１１５】
ｇＮＢ２０からＵＥ２０へＤＬで送信されるユーザデータは、コアネットワーク３０から伝送路インタフェース２０６を介してベースバンド信号処理部２０４に入力される。
【０１１６】
ベースバンド信号処理部２０４では、信号は、Ｐａｃｋｅｔ  Ｄａｔａ  Ｃｏｎｖｅｒｇｅｎｃｅ  Ｐｒｏｔｏｃｏｌ（ＰＤＣＰ）レイヤの処理、ユーザデータの分割、結合および無線リンク制御（Ｒａｄｉｏ  Ｌｉｎｋ  Ｃｏｎｔｒｏｌ（ＲＬＣ））再送制御の伝送処理などのＲＬＣレイヤの伝送処理、例えば、ＨＡＲＱ伝送処理、スケジューリング、伝送フォーマット選択、チャネル符号化、逆高速フーリエ変換（ｉｎｖｅｒｓｅ  ｆａｓｔ  Ｆｏｕｒｉｅｒ  ｔｒａｎｓｆｏｒｍ（ＩＦＦＴ））処理およびプリコーディング処理を含む、Ｍｅｄｉｕｍ  Ａｃｃｅｓｓ  Ｃｏｎｔｒｏｌ（ＭＡＣ）再送制御が行われ、各送受信部２０３に転送される。ＤＬ制御チャネルの信号に関しても、チャネル符号化および逆高速フーリエ変換を含む伝送処理が行われ、各送受信部２０３に転送される。
【０１１７】
ベースバンド信号処理部２０４は、上位レイヤシグナリング（例えば、ＲＲＣシグナリングおよびブロードキャストチャネル）によってセル内で通信するための制御情報（システム情報）を各ＵＥ１０に通知する。セル内で通信するための情報には、例えば、ＵＬまたはＤＬシステム帯域を含む。
【０１１８】
各送受信部２０３では、アンテナ毎にプリコーディングされ、ベースバンド信号処理部２０４から出力されたベースバンド信号は、無線周波数帯域への周波数変換処理を受ける。アンプ部２０２は、周波数変換された無線周波数信号を増幅し、得られた信号がアンテナ２０１から送信される。
【０１１９】
ＵＥ１０からｇＮＢ２０にＵＬで送信されるデータに関して、無線周波数信号は、各アンテナ２０１で受信され、アンプ部２０２で増幅され、周波数変換および送受信部２０３でベースバンド信号に変換され、ベースバンド信号処理部２０４に入力される。
【０１２０】
ベースバンド信号処理部２０４は、受信したベースバンド信号に含まれるユーザデータに対して、ＦＦＴ処理、ＩＤＦＴ処理、誤り訂正復号、ＭＡＣ再送制御の受信処理およびＲＬＣレイヤ、ＰＤＣＰレイヤの受信処理を行う。次に、得られた信号は、伝送路インタフェース２０６を介してコアネットワーク３０に転送される。呼処理部２０５は、通信チャネルの設定および解放などの呼処理を行い、ＢＳ２０の状態を管理し、無線リソースを管理する。
【０１２１】
（ユーザ装置の構成）
以下、図２２を参照して、本発明の１つ以上の実施形態によるＵＥ１０について説明する。図２２は、本発明の１つ以上の実施形態による、ＵＥ１０の概略構成である。ＵＥ１０は、複数のＵＥアンテナ１０１、アンプ部１０２、送受信部（送信部／受信部）１０３１を含む回路１０３、制御部１０４およびアプリケーション部１０５を有する。
【０１２２】
ＤＬに関しては、ＵＥアンテナ１０１で受信した無線周波数信号は、それぞれのアンプ部１０２で増幅され、送受信部１０３１でベースバンド信号に周波数変換される。これらのベースバンド信号は、制御部１０４で、ＦＦＴ処理、誤り訂正復号および再送制御などの受信処理が行われる。ＤＬユーザデータは、アプリケーション部１０５に転送される。アプリケーション部１０５は、物理レイヤおよびＭＡＣレイヤよりも上位のレイヤに関する処理を実行する。下りリンクデータにおいて、ブロードキャスト情報も、アプリケーション部１０５に転送される。
【０１２３】
一方で、ＵＬユーザデータは、アプリケーション部１０５から制御部１０４に入力される。制御部１０４では、再送制御（Ｈｙｂｒｉｄ  ＡＲＱ）伝送処理、チャネル符号化、復号、ＤＦＴ処理およびＩＦＦＴ処理などが実行され、得られた信号は各送受信部１０３１に転送される。送受信部１０３１では、制御部１０４から出力されたベースバンド信号は、無線周波数帯域に変換される。その後、周波数変換された無線周波数信号はアンプ部１０２で増幅された後、アンテナ１０１から送信される。
【０１２４】
本発明の１つ以上の実施形態は、上りリンクおよび下りリンクのそれぞれに独立して用いられてもよい。本発明の１つ以上の実施形態は、上りリンクおよび下りリンクの両方に共通して用いられてもよい。
【０１２５】
本開示は、ＮＲに基づくチャネルおよびシグナリング方式の例を主に説明したが、本発明はそれに限定されない。本発明の１つ以上の実施形態は、ＬＴＥ／ＬＴＥ−ＡなどのＮＲと同じ機能を有する別のチャネルおよびシグナリングスキームと、新しく定義されたチャネルおよびシグナリングスキームに適用してもよい。
【０１２６】
本開示は、ＣＳＩ−ＲＳに基づくチャネル推定およびＣＳＩフィードバックスキームに関する技術の例を主に説明したが、本発明はそれに限定されない。本発明の１つ以上の実施形態は、プライマリ同期信号／セカンダリ同期信号（ＰＳＳ／ＳＳＳ）およびＤＭ−ＲＳなどの、別の同期信号、参照信号および物理チャネルに適用してもよい。
【０１２７】
本開示は、ＳＲＳに基づく上りリンクチャネル推定に関する技術の例を主に説明したが、本発明はそれに限定されない。サウンディング参照信号（ＳＲＳ）。本発明の１つ以上の実施形態は、ＤＭ−ＲＳなどの別の上りリンク参照信号および物理チャネルに適用してもよい。
【０１２８】
本開示は、様々なシグナリング方法の例を説明したが、本発明の１つ以上の実施形態によるシグナリングは、明示的または暗黙的に実行されてもよい。
【０１２９】
本開示は、様々なシグナリング方法の例を主に説明したが、本発明の１つ以上の実施形態によるシグナリングは、ＲＲＣシグナリングなどの上位レイヤシグナリングおよび／またはＤＣＩなどの下位レイヤシグナリング、ＭＡＣ  ＣＥであってもよい。また、本発明の１つ以上の実施形態によるシグナリングは、Ｍａｓｔｅｒ  Ｉｎｆｏｒｍａｔｉｏｎ  Ｂｌｏｃｋ（ＭＩＢ）および／またはＳｙｓｔｅｍ  Ｉｎｆｏｒｍａｔｉｏｎ  Ｂｌｏｃｋ（ＳＩＢ）を使用してもよい。例えば、ＲＲＣ、ＤＣＩ、ＭＡＣ  ＣＥの少なくとも２つを本発明の１つ以上の実施形態によるシグナリングとして組み合わせて使用してもよい。
【０１３０】
本発明の１つ以上の実施形態は、ＣＳＩ取得、チャネルサウンディング、ビーム管理および他のビーム制御スキームに適用されてもよい。
【０１３１】
上記の実施例および変形例は、互いに組み合わせられてもよく、これらの例の様々な特徴は、様々な組み合わせで互いに組み合わせられる。本開示は、本明細書に開示される特定の組み合わせに限定されない。
【０１３２】
本開示では、限られた数の実施形態のみについて説明したが、本開示の利益を有する当業者であれば、本発明の範囲から逸脱することなく様々な他の実施形態が考案され得ることを理解するであろう。したがって、本開示の範囲は、特許請求の範囲の記載によってのみ限定されるべきである。
【図１】
2020523889.tif 000003
【図２Ａ】
2020523889.tif 000004
【図２Ｂ】
2020523889.tif 000005
【図３Ａ】
2020523889.tif 000006
【図３Ｂ】
2020523889.tif 000007
【図４】
2020523889.tif 000008
【図５】
2020523889.tif 000009
【図６】
2020523889.tif 000010
【図７】
2020523889.tif 000011
【図８】
2020523889.tif 000012
【図９】
2020523889.tif 000013
【図１０】
2020523889.tif 000014
【図１１】
2020523889.tif 000015
【図１２】
2020523889.tif 000016
【図１３】
2020523889.tif 000017
【図１４】
2020523889.tif 000018
【図１５】
2020523889.tif 000019
【図１６】
2020523889.tif 000020
【図１７】
2020523889.tif 000021
【図１８】
2020523889.tif 000022
【図１９】
2020523889.tif 000023
【図２０】
2020523889.tif 000024
【図２１】
2020523889.tif 000025
【図２２】
2020523889.tif 000026
【国際調査報告】
2020523889.tif 000027
2020523889.tif 000028
2020523889.tif 000029